(57)【特許請求の範囲】
【請求項１】
防水性を有するコーン型の振動板を備えたスピーカ、及び当該スピーカを保持するスピーカホルダからなるスピーカユニットと、
前記スピーカユニットを覆い、前記振動板と対向する位置に少なくとも１つの孔部が開孔されたスピーカグリル部を有する被覆部材と、
前記振動板と対向する部分に形成された開口部、及び、前記振動板の最外周端より外側でかつ前記スピーカホルダの最外周端より内側の領域内に形成され、前記被覆部材側の主面より突出して前記被覆部材に密着した防水リブを備えた防水パッキンと、を有し、
前記被覆部材に、前記振動板の最外周端より外側でかつ前記防水パッキンの前記防水リブより内側の領域内に、外部からの応力に対して前記スピーカグリル部よりも脆弱な脆弱部が設けられたスピーカ搭載品。
【請求項２】
前記脆弱部は、前記被覆部材に少なくとも１つの凹部が形成された凹部形成部である請求項１に記載のスピーカ搭載品。
【請求項３】
前記少なくとも１つの凹部は、前記振動板の前記最外周端に沿って全体的に略環状に形成された少なくとも１つの溝部である請求項２に記載のスピーカ搭載品。
【請求項４】
前記凹部は断面視楔状である請求項２又は３に記載のスピーカ搭載品。
【請求項５】
前記少なくとも１つの凹部は、前記被覆部材の前記スピーカユニット側に形成された請求項２〜４のいずれかに記載のスピーカ搭載品。
【請求項６】
前記防水パッキンは、前記被覆部材側でかつ前記脆弱部より内側の領域に前記被覆部材側の主面より突出したリブをさらに備えた請求項１〜５のいずれかに記載のスピーカ搭載品。
【請求項７】
前記防水パッキンの前記開口部の周囲に、前記スピーカの外周部の先端部及び前記スピーカホルダの前記スピーカの外周部の隣接部分の先端部が入り込む切欠部が設けられた請求項１〜６のいずれかに記載のスピーカ搭載品。
【請求項８】
前記切欠部に嵌め込まれた前記スピーカの外周部の先端部及び前記スピーカホルダの前記スピーカの外周部の隣接部分の先端部と前記切欠部との間に、防水部材が介在された請求項７に記載のスピーカ搭載品。
【請求項９】
前記スピーカホルダは、前記防水パッキン側でかつ前記スピーカと前記防水パッキンの前記防水リブとの間の領域内に凹部を有し、
前記防水パッキンは、前記スピーカホルダの前記凹部に入り込むスピーカホルダ嵌入部と、当該スピーカホルダ嵌入部より突出して前記凹部の壁面に密着した防水リブをさらに備えた請求項１〜８のいずれかに記載のスピーカ搭載品。
【請求項１０】
電子機器である請求項１〜９のいずれかに記載のスピーカ搭載品。
【発明の詳細な説明】
【技術分野】
【０００１】
本発明は、スピーカ搭載品に関するものである。
【背景技術】
【０００２】
無線機及び携帯電話等の携帯型電子機器においては、樹脂製のケース内にスピーカが内蔵されている。携帯型電子機器のケースには、内蔵されたスピーカからの音声を外部に放出するために、スリット状等の少なくとも１つの孔部が開孔されたスピーカグリル部が設けられている。
スピーカとしては、コーン型の振動板を備えたダイナミック型スピーカが広く用いられている。ダイナミック型スピーカは概略、永久磁石及びヨーク等からなる磁気回路部と、磁気回路部内のギャップに挿入されたボイスコイルと、ボイスコイルを保持するボイスコイルボビンと、ボイスコイルボビンに連結されたコーン型の振動板と、これらを保持する椀状のスピーカフレームとを備えている。スピーカはスピーカホルダに保持されたスピーカユニットの形態で、携帯型電子機器に搭載される。
【先行技術文献】
【特許文献】
【０００３】
【特許文献１】特開2004-343669号公報
【特許文献２】特開2009-004821号公報
【発明の概要】
【発明が解決しようとする課題】
【０００４】
携帯型電子機器においては、内蔵された各種電子部品を保護するために、ケースと内蔵された各種電子部品との間にはシリコーンゴム等の弾性樹脂からなる防水パッキンが介在されている。この防水パッキンには、内蔵されたスピーカからの音声の外部への放出を妨げないよう、スピーカの振動板と対向する部分に開口部が形成されている。防水パッキンで覆われないスピーカの振動板として、防水性を有する樹脂製の振動板が好ましく用いられる。携帯型電子機器は、以上のような防水構造を有している。
【０００５】
携帯型電子機器のケースにおいて、少なくとも１つの孔部が開孔されたスピーカグリル部は、その他の部分よりも外部からの機械的な衝撃に対して相対的に弱くなっている。
携帯型電子機器が落下したり、他の物が携帯型電子機器に衝突するなどして、携帯型電子機器のケースが外部から強い衝撃を受けた場合、スピーカグリル部の孔部周辺の樹脂が破損して機器の内部に入り込み、極端な場合には振動板を突き破ってしまう恐れがある。振動板に破損が生じると、そこからの内部への浸水を防止できず、所望の防水性能を維持できなくなる。
【０００６】
特に、複数のスリット状の孔部を有するスピーカグリル部では、ケース成型時に、隣接するスリット状の孔部の間において両側から樹脂が流れ込み、これらの樹脂が合流する位置の樹脂の密着性が低下する傾向にある。この樹脂の合流位置は「ウエルドライン」と呼ばれ、その部分が特に他の部分より外部からの機械的な衝撃に対して弱くなる傾向にある。したがって、上記問題は特に、スピーカグリル部が複数のスリット状の孔部を有する場合に起こりやすい。
【０００７】
スピーカグリル部と振動板との間に金属板等の補強部品を追加して、携帯型電子機器が外部から強い衝撃を受けた場合でも、振動板が破損することを抑制することが考えられる。しかしながら、携帯型電子機器に本来必須でない金属板等の補強部品を追加することは、部材コスト及び組立コストの増加になり、携帯型電子機器の小型軽量化が難しくなるため、好ましくない。
【０００８】
特許文献１には、振動板（２）とセンターキャップ（１）に防水剤又は弾性接着剤（２２）による防水加工された水中スピーカが開示されている（請求項１、図１）。
特許文献２には、防水パッキン（５）に、ケース（３）のスピーカ取付面へ密着させて防水性を得る防水リブ（５１）と、ガスケットの役割を果たす凸部（５２）とを一体に設けたスピーカ取付構造が開示されている（請求項１、図１）。
しかしながら、いずれもスピーカグリル部の破損により起こる振動板の破損による防水性能の低下に対する対策は講じられていない。
【０００９】
上記の問題は、携帯型電子機器に限らず、家庭用等の各種音響機器、及びカーオーディオなど、任意のスピーカ搭載品において同様である。
【００１０】
本発明は上記事情に鑑みてなされたものであり、スピーカとスピーカグリル部を有する被覆部材との間に補強部材を追加することなく低コストに、スピーカグリル部及びその近傍が外部から強い衝撃を受けた場合においても、スピーカグリル部及び振動板の破損が抑制されて、防水性能の低下が抑制されたスピーカ搭載品を提供することを目的とするものである。
【課題を解決するための手段】
【００１１】
本発明のスピーカ搭載品は、
防水性を有するコーン型の振動板を備えたスピーカ、及び当該スピーカを保持するスピーカホルダからなるスピーカユニットと、
前記スピーカユニットを覆い、前記振動板と対向する位置に少なくとも１つの孔部が開孔されたスピーカグリル部を有する被覆部材と、
前記振動板と対向する部分に形成された開口部、及び、前記振動板の最外周端より外側でかつ前記スピーカホルダの最外周端より内側の領域内に形成され、前記被覆部材側の主面より突出して前記被覆部材に密着した防水リブを備えた防水パッキンと、を有し、
前記被覆部材に、前記振動板の最外周端より外側でかつ前記防水パッキンの前記防水リブより内側の領域内に、外部からの応力に対して前記スピーカグリル部よりも脆弱な脆弱部が設けられたものである。
【００１２】
本発明のスピーカ搭載品において、「スピーカグリル部を有する被覆部材」とは例えば、無線機や携帯電話等の携帯型電子機器あるいは各種音響機器等の電子機器のケース、及び車載パネルなどである。
【００１３】
本発明のスピーカ搭載品において、前記脆弱部としては、前記被覆部材に少なくとも１つの凹部が形成された凹部形成部が挙げられる。
前記少なくとも１つの凹部は、前記振動板の前記最外周端に沿って全体的に略環状に形成された少なくとも１つの溝部であることが好ましい。
本明細書において、「略環状」には、完全な環状、及び環状の一部が欠けた形状が含まれるものとする。
前記凹部の形状としては断面視楔状が挙げられる。
前記少なくとも１つの凹部は、前記被覆部材の前記スピーカユニット側に形成されたものであることが好ましい。
【００１４】
本発明のスピーカ搭載品において、前記防水パッキンは、前記被覆部材側でかつ前記脆弱部より内側の領域に前記被覆部材側の主面より突出したリブをさらに備えたことが好ましい。
【００１５】
本発明のスピーカ搭載品において、前記防水パッキンの前記開口部の周囲に、前記スピーカの外周部の先端部及び前記スピーカホルダの前記スピーカの外周部の隣接部分の先端部が入り込む切欠部が設けられたことが好ましい。
さらに、前記切欠部に嵌め込まれた前記スピーカの外周部の先端部及び前記スピーカホルダの前記スピーカの外周部の隣接部分の先端部と前記切欠部との間に、防水部材が介在されたことが好ましい。
【００１６】
本発明のスピーカ搭載品において、
前記スピーカホルダは、前記防水パッキン側でかつ前記スピーカと前記防水パッキンの前記防水リブとの間の領域内に凹部を有し、
前記防水パッキンは、前記スピーカホルダの前記凹部に入り込むスピーカホルダ嵌入部と、当該スピーカホルダ嵌入部より突出して前記凹部の壁面に密着した防水リブをさらに備えたことが好ましい。
【００１７】
本発明は、スピーカを搭載した各種電子機器等に好ましく適用できる。
スピーカを備えた電子機器としては、無線機や携帯電話等の携帯型電子機器、家庭用等の各種音響機器、及びカーオーディオ等が挙げられる。
【発明の効果】
【００１８】
本発明によれば、スピーカとスピーカグリル部を有する被覆部材との間に補強部材を追加することなく低コストに、スピーカグリル部及びその近傍が外部から強い衝撃を受けた場合においても、スピーカグリル部及び振動板の破損が抑制されて、防水性能の低下が抑制されたスピーカ搭載品を提供することができる。
【図面の簡単な説明】
【００１９】
【図１Ａ】本発明に係る第１実施形態のスピーカ搭載品の前面図である。
【図１Ｂ】本発明に係る第１実施形態のスピーカ搭載品の断面図である。
【図２Ａ】本発明に係る第２実施形態のスピーカ搭載品の前面図である。
【図２Ｂ】本発明に係る第２実施形態のスピーカ搭載品の断面図である。
【図３Ａ】防水リブの圧縮前と圧縮後の形状例を示す断面図である。
【図３Ｂ】防水リブの圧縮前と圧縮後の形状例を示す断面図である。
【図３Ｃ】防水リブの圧縮前と圧縮後の形状例を示す断面図である。
【図３Ｄ】防水リブの圧縮前と圧縮後の形状例を示す断面図である。
【発明を実施するための形態】
【００２０】
「第１実施形態」
図面を参照して、本発明に係る第１実施形態のスピーカ搭載品について説明する。図１Ａはスピーカ搭載品の前面図であり、図１Ｂはスピーカ搭載品の断面図である。図１Ｂは図１ＡのＩＢ−ＩＢ線断面図である。
図面上は視認しやすくするため、各構成部材の縮尺や位置を実際のものとは異ならせたり、一部の部材の図示を省略してある。例えば、図１Ａでは、スピーカグリル部を実際の縮尺よりも拡大して図示してあり、操作ボタン等の図示を省略してある。断面図においては、ハッチングを適宜省略してある。
【００２１】
本発明は、無線機や携帯電話等の携帯型電子機器、家庭用等の各種音響機器、及びカーオーディオ等に適用可能であり、本実施形態では、無線機への適用例について説明する。
【００２２】
無線機１においては、スピーカ１２０を含む無線機１に必要な多くの電子部品が樹脂製のケース１１０内に収容されている。本実施形態においては、ケース１１０がスピーカ１２０を覆うスピーカ被覆部材である。
【００２３】
本実施形態において、スピーカ１２０は、コーン型の振動板１２３を備えたダイナミック型スピーカである。
スピーカ１２０は概略、永久磁石及びヨーク等からなる磁気回路部１２１と、磁気回路部１２１内のギャップに挿入されたボイスコイル及びこれを保持するボイスコイルボビンからなるボイスコイルユニット１２２と、ボイスコイルユニット１２２に連結されたコーン型の振動板１２３と、これらを保持する椀状のスピーカフレーム１２４とを備えている。
図１Ｂでは、スピーカ１２０の外周部１２５を矩形状で図示してあるが、これはスピーカ１２０の外周部１２５を模式的に図示したものであり、実際の形状とは異なっている。
【００２４】
スピーカ１２０はスピーカホルダ１３０に保持されたスピーカユニット３の形態で、ケース１１０に取り付けられている。
スピーカホルダ１３０は、磁気回路部１２１の一部が収容される第１の収容空間１３１と、第１の収容空間１３１に連設され、ボイスコイルユニット１２２及び振動板１２３が収容される第２の収容空間１３２とを有している。
スピーカホルダ１３０には、振動板１２３と対向する位置に、複数の孔部１３３が開孔されている。複数の孔部１３３を設けることで、振動板１２３の背面側に空気室が形成され、スピーカ１２０から外部に放出される音質が向上する。
【００２５】
ケース１１０には、スピーカ１２０からの音声を外部に放出するために、振動板１２３と対向する位置に少なくとも１つの孔部１１１Ｈが開孔されたスピーカグリル部１１１が設けられている。本実施形態では、スピーカグリル部１１１に複数のスリット状の孔部１１１Ｈが開孔されている。図１Ａでは、スピーカグリル部１１１が３個の孔部１１１Ｈを有する例について図示してあるが、孔部１１１Ｈの数は任意である。
【００２６】
無線機１には、内蔵された各種電子部品を保護するために、ケース１１０と内蔵された各種電子部品との間に、シリコーンゴム等の弾性樹脂からなる防水パッキン１４０が介在されている。この防水パッキン１４０には、内蔵されたスピーカ１２０からの音声の外部への放出を妨げないよう、スピーカ１２０の振動板１２３と対向する部分に開口部１４１が形成されている。
防水パッキン１４０で覆われないスピーカ１２０の振動板１２３は樹脂製であり、防水性を有している。
【００２７】
防水パッキン１４０には、振動板１２３の最外周端１２３Ｘより外側でかつスピーカホルダ１３０の最外周端１３０Ｘより内側の領域内に、ケース１１０側の主面１４３より突出してケース１１０に密着した防水リブ１４４が設けられている。
防水リブ１４４は振動板１２３の最外周端１２３Ｘに沿って略環状に形成されている。
【００２８】
本実施形態において、防水リブ１４４は断面視二等辺三角形状であり、その高さはケース１１０側の主面１４３とケース１１０との間隔よりも若干高く設計されている。そのため、防水リブ１４４はケース１１０との間で圧縮されてケース１１０との間に隙間なく強固に密着しており、高い防水性を有している。
上記のように、防水リブ１４４は実際にはケース１１０との間で圧縮されてケース１１０との間に隙間なく強固に密着しているが、図１Ｂでは簡略化して、圧縮されていない形状で図示している。
図３Ａに、圧縮前の防水リブ１４４の形状の例と圧縮後の防水リブ１４４の形状の例を拡大して示す。
図３Ａにおいては、実線が圧縮前の防水リブ１４４の形状の例を示し、破線が圧縮後の防水リブ１４４の形状の例を示している（図３Ｂ〜図３Ｄについても同様）。
防水リブ１４４の断面形状は上記に限らず、図３Ｂの左図及び右図に示す直角三角形状（片側倒れ構造）、図３Ｃに示す半円状、あるいは図３Ｄに示す矩形状等でもよい。
【００２９】
本実施形態では、スピーカホルダ１３０に、防水パッキン１４０の防水リブ１４４の形成領域に圧力をかける押圧部１３６が形成されている。
図示する例では、押圧部１３６は押圧リブであるが、防水リブ１４４に圧力がかかれば、リブでなくても構わない。
本実施形態では、押圧部１３６と防水リブ１４４とは図１Ａの平面視において同じ位置に形成されているが、防水リブ１４４に圧力がかかれば、押圧部１３６と防水リブ１４４の平面位置は離れていても構わない。ただし、押圧部１３６と防水リブ１４４の平面視位置は近い程、防水リブ１４４に圧力がかかりやすく、好ましい。
例えば、図３Ｂに示した断面視直角三角形状（片側倒れ構造）の防水リブ１４４では、図３Ａに示す断面視二等辺三角形状の防水リブ１４４よりも低圧力で圧縮することができる。したがって、かかる形状であれば、押圧部１３６と防水リブ１４４の平面視位置が多少離れていても防水リブ１４４が良好に圧縮され、良好な防水性が得られる。
【００３０】
防水リブ１４４は、その高さがケース１１０側の主面１４３とケース１１０との間隔と等しく、圧縮変形することなくケース１１０と密着するものでもよい。かかる場合には、必要に応じて、防水リブ１４４とケース１１０との間に、両面テープ、ボンド、あるいはグリス等を併用して、防水リブ１４４とケース１１０との密着性を高めることができる。
【００３１】
防水パッキン１４０にはさらに、スピーカホルダ１３０の最外周端１３０Ｘの外側の領域に、防水パッキン１４０の側面１４８から突出してケース１１０と密着した防水リブ１４９が設けられている。
防水リブ１４９は、防水リブ１４４と同様、断面視二等辺三角形状であり、その高さは防水パッキン１４０の側面１４８とケース１１０との間隔よりも若干高く設計され、ケース１１０との間で圧縮されてケース１１０との間に隙間なく強固に密着しており、高い防水性を有している。
このように、防水リブ１４９は実際にはケース１１０との間で圧縮されてケース１１０との間に隙間なく強固に密着しているが、図面上では簡略化して、圧縮されていない形状で図示している。
【００３２】
防水パッキン１４０には、開口部１４１の周囲に、少なくともスピーカ外周部１２５の先端部及びスピーカホルダ１３０のスピーカ外周部１２５の隣接部分１３４の先端部が入り込む切欠部１４２が設けられている。
【００３３】
切欠部１４２に嵌め込まれたスピーカ外周部１２５の先端部及びスピーカホルダ１３０のスピーカ外周部１２５の隣接部分１３４の先端部と切欠部１４２との間に、防水部材１５０が介在されている。
本実施形態において、防水部材１５０はＰＥＴ（ポリエチレンテレフタレート）等からなる略環状の樹脂材である。防水部材１５０は、必要に応じて両面テープ等を介して、防水パッキン１４０と、スピーカ外周部１２５の先端部及びスピーカホルダ１３０のスピーカ外周部１２５の隣接部分１３４の先端部とに固着される。
【００３４】
スピーカホルダ１３０には、防水部材１５０が固着されたスピーカホルダ１３０のスピーカ外周部１２５の隣接部分１３４の外周側に、凹部１３５が形成されている。
この凹部１３５は、スピーカホルダ１３０の防水パッキン１４０側でかつスピーカ１２０と防水パッキン１４０の防水リブ１４４との間の領域内に形成されている。
上記凹部１３５に隣接して、防水リブ１４４を押圧する押圧部１３６である押圧リブが形成されている。
スピーカホルダ１３０には、振動板１２３の最外周端１２３Ｘに沿って、略環状に凹部１３５及び押圧部１３６である押圧リブが形成されている。
【００３５】
防水部材１５０は、切欠部１４２に嵌め込まれたスピーカ外周部１２５の先端部及びスピーカホルダ１３０のスピーカ外周部１２５の隣接部分１３４の先端部のケース１１０側の面に対向して板状に形成され、さらにスピーカホルダ１３０の凹部１３５内に一部が入り込んだ断面視Ｌ字状で形成されている。
【００３６】
ケース１１０には、振動板１２３の最外周端１２３Ｘより外側でかつ防水パッキン１４０の防水リブ１４４より内側の領域内に、外部からの応力に対してスピーカグリル部１１１よりも脆弱な脆弱部が設けられている。
外部からの応力に対する強弱の度合は、応力シミュレータにて計算可能である。
本実施形態において、脆弱部は、ケース１１０のスピーカユニット３側の面に凹部１１２が形成された凹部形成部である。
本実施形態において、凹部１１２は、振動板１２３の最外周端１２３Ｘに沿って略環状に形成された断面視楔状の溝部である。
凹部１１２は、完全な環状でもよいし、環状の一部が欠けた形状でもよい。図１Ａには、凹部１１２の中心（最も深い部分）について、その位置を示してある。
凹部形成部は、１個の略環状の凹部（溝部）１１２ではなく、全体的に略環状に形成された複数の凹部（溝部）でもよい。
【００３７】
防水パッキン１４０にはまた、ケース１１０側でかつ脆弱部である凹部１１２の形成部より内側の領域にケース１１０側の主面１４３より突出した衝撃吸収リブ１４５が設けられている。
衝撃吸収リブ１４５は防水機能を有する必要がないので、その高さはケース１１０に密着する高さでもよいし、それより低い高さでもよい。その形状も任意である。
図１Ｂでは、衝撃吸収リブ１４５がケース１１０に密着しない高さで、断面視矩形状である場合について図示してある。
【００３８】
本実施形態の無線機１は以上のように構成されている。
本実施形態では、ケース１１０と内蔵された各種電子部品との間に介在され、ケース１１０に密着した防水リブ１４４を有する防水パッキン１４０と、防水性を有する樹脂製の振動板１２３によって、防水性が確保されている。
【００３９】
本実施形態では、防水パッキン１４０には、開口部１４１の周囲に、少なくともスピーカ外周部１２５の先端部及びスピーカホルダ１３０のスピーカ外周部１２５の隣接部分１３４の先端部が入り込む切欠部１４２が設けられ、切欠部１４２に嵌め込まれたスピーカ外周部１２５の先端部及びスピーカホルダ１３０のスピーカ外周部１２５の隣接部分１３４の先端部と切欠部１４２との間に、防水部材１５０が介在されている。
したがって、切欠部１４２に嵌め込まれたスピーカ外周部１２５の先端部及びスピーカホルダ１３０のスピーカ外周部１２５の隣接部分１３４の先端部のケース１１０側の面の平滑性が低い場合にも、切欠部１４２に嵌め込まれたスピーカ外周部１２５の先端部及びスピーカホルダ１３０のスピーカ外周部１２５の隣接部分１３４の先端部と防水パッキン１４０との密着性が良く、良好な充分な防水性が確保される。
【００４０】
上記のように防水部材１５０を設けることは好適であるが、防水部材１５０は必須なものではない。
切欠部１４２に嵌め込まれたスピーカ外周部１２５の先端部及びスピーカホルダ１３０のスピーカ外周部１２５の隣接部分１３４の先端部のケース１１０側の面の平滑性が充分に高く、防水部材１５０を介在させなくても、防水パッキン１４０と良好に密着する場合には、防水部材１５０は設けなくても充分な防水性が確保される。
【００４１】
本実施形態では、以上の構成により通常使用における防水性が確保されている。
【００４２】
本実施形態ではさらに、以下の構成によって、無線機１が落下したり、他の物が無線機１に衝突するなどして、スピーカグリル部１１１及びその近傍が外部から強い衝撃を受けた場合においても、内部の防水性が確保されている。
本実施形態では、ケース１１０に、振動板１２３の最外周端１２３Ｘより外側でかつ防水パッキン１４０の防水リブ１４４より内側の領域内に、外部からの応力に対してスピーカグリル部１１１よりも脆弱な脆弱部が設けられている。本実施形態では、脆弱部は、振動板１２３の最外周端１２３Ｘに沿って略環状に形成された断面視楔状の凹部１１２が形成された凹部形成部である。
【００４３】
上記脆弱部のない構造では、少なくとも１つの孔部が開孔されたスピーカグリル部はその他の部分より弱く、外部から強い衝撃を受けた場合、スピーカグリル部の孔部周辺の樹脂が破損して機器の内部に入り込み、極端な場合には振動板を突き破ってしまう恐れがある。この問題は特に、スピーカグリル部が複数のスリット状の孔部を有する場合に起こりやすい。
【００４４】
本実施形態では、スピーカグリル部が破損するレベルの強い衝撃を受けた場合、スピーカグリル部１１１よりも先に、凹部１１２が形成された脆弱部が犠牲となって衝撃を吸収して破損し、この部分にクラックあるいは割れ等が生じる。図１Ｂ中、クラックあるいは割れ等が生じやすい部分に符号Ｃを付してある。
本実施形態では、凹部１１２が形成された脆弱部が犠牲となって衝撃を吸収して破損することで、凹部１１２が形成された脆弱部より内側におけるケース１１０の破損が抑制され、これによって振動板１２３の破損が抑制される。
【００４５】
スピーカグリル部１１１が外部から非常に強い衝撃を受けて、上記脆弱部が破損するだけでは衝撃が吸収しきれない場合、破損した脆弱部が内側に押される。
本実施形態において、凹部１１２が形成された脆弱部は、振動板１２３の最外周端１２３Ｘより外側でかつ防水パッキン１４０の防水リブ１４４より内側の領域内に設けられている。
かかる構成では、凹部１１２が形成された脆弱部に破損が生じ、さらに破損した脆弱部が内側に押されても、脆弱部の内側は振動板１２３が形成されておらず、柔軟な防水パッキン１４０があるだけである。したがって、振動板１２３が破損する恐れはなく、柔軟な防水パッキン１４０で衝撃が吸収されるので、内部への衝撃の影響は小さい。また、脆弱部と防水リブ１４４とは位置がずれているので、防水リブ１４４とケース１１０との密着部分に対しても影響は小さく、防水リブ１４４による防水機能が維持される。
【００４６】
本実施形態ではさらに、防水パッキン１４０に、ケース１１０側でかつ脆弱部である凹部１１２の形成部より内側の領域にケース１１０側の主面１４３より突出した衝撃吸収リブ１４５が設けられている。
かかる構成では、凹部１１２が形成された脆弱部に破損が生じ、さらに破損した脆弱部及びその近傍が内側に押されても、脆弱部から見て防水リブ１４４のない側に衝撃吸収リブ１４５を設けておくことで、これがストッパとなり、破損した脆弱部及びその近傍がそれ以上内側に入り込むことを抑制することができる。
【００４７】
本実施形態では以上のように、外部から強い衝撃を受けた場合にも内部の防水性が確保されている。そのため、スピーカグリル部１１１が外部から強い衝撃を受けてケース１１０の脆弱部が破損したとしても、無線機１の使用を続けることができる。
特に無線機は災害支援等の過酷な環境で使用される場合があるため、ケース１１０が破損しても使用を継続できることは好ましい。
また、破損するのはケース１１０だけであり内部破損は生じないため、修理はケース１１０を交換しさえすれば良く、簡便である。
【００４８】
スピーカグリル部１１１の最外周端１１１Ｘと凹部１１２の中心との離間距離は特に制限されず、無線機の場合、例えば５ｍｍ以下が好ましい。
【００４９】
以上説明したように、本実施形態によれば、スピーカ１２０とスピーカグリル部１１１を有するケース１１０との間に補強部材を追加することなく低コストに、スピーカグリル部１１１及びその近傍が外部から強い衝撃を受けた場合においても、スピーカグリル部１１１及び振動板１２３の破損が抑制されて、防水性能の低下が抑制された無線機１を提供することができる。
【００５０】
「第２実施形態」
図面を参照して、本発明に係る第２実施形態のスピーカ搭載品について説明する。図２Ａはスピーカ搭載品の前面図であり、図２Ｂはスピーカ搭載品の断面図である。図２Ｂは図２ＡのＩＩＢ−ＩＩＢ線断面図である。
図面上は視認しやすくするため、各構成部材の縮尺や位置を実際のものとは異ならせたり、一部の部材の図示を省略してある。断面図においては、ハッチングを適宜省略してある。
本実施形態においても、無線機への適用例について説明する。
【００５１】
本実施形態の無線機２の基本構成は第１実施形態と同様であり、第１実施形態と同じ構成要素については同じ参照符号を付して説明を省略する。
【００５２】
本実施形態においても、ケース１１０と内蔵された各種電子部品との間に介在され、ケース１１０に密着した防水リブ１４４を有する防水パッキン１４０と、防水性を有する樹脂製の振動板１２３によって、防水性が確保されている。
【００５３】
本実施形態においても、防水パッキン１４０には、開口部１４１の周囲に、少なくともスピーカ外周部１２５の先端部及びスピーカホルダ１３０のスピーカ外周部１２５の隣接部分１３４の先端部が入り込む切欠部１４２が設けられ、切欠部１４２に嵌め込まれたスピーカ外周部１２５の先端部及びスピーカホルダ１３０のスピーカ外周部１２５の隣接部分１３４の先端部と切欠部１４２との間に、防水部材１５０が介在されている。
したがって、切欠部１４２に嵌め込まれたスピーカ外周部１２５の先端部及びスピーカホルダ１３０のスピーカ外周部１２５の隣接部分１３４の先端部のケース１１０側の面の平滑性が低い場合にも、切欠部１４２に嵌め込まれたスピーカ外周部１２５の先端部及びスピーカホルダ１３０のスピーカ外周部１２５の隣接部分１３４の先端部と防水パッキン１４０との密着性が良く、良好な充分な防水性が確保される。
本実施形態においても、上記のように防水部材１５０を設けることは好適であるが、防水部材１５０は必須なものではない。
【００５４】
本実施形態においても、スピーカホルダ１３０には、防水部材１５０が固着されたスピーカホルダ１３０のスピーカ外周部１２５の隣接部分１３４の外周側に、凹部１３５が形成されている。
換言すれば、スピーカホルダ１３０には、防水パッキン１４０側でかつスピーカ１２０と防水パッキン１４０の防水リブ１４４との間の領域内に凹部１３５が形成されている。
本実施形態においても、上記凹部１３５に隣接して、防水リブ１４４を押圧する押圧部１３６である押圧リブが形成されている。
【００５５】
本実施形態ではさらに、防水パッキン１４０は、スピーカホルダ１３０の凹部１３５に入り込むスピーカホルダ嵌入部１４６と、スピーカホルダ嵌入部１４６より突出して凹部１３５の壁面（図示する例では、押圧部１３６である押圧リブ）に密着した防水リブ１４７をさらに備えている。
スピーカホルダ嵌入部１４６は、凹部１３５と同様に略環状に形成されている。
本実施形態において、防水リブ１４７は断面視二等辺三角形状であり、防水リブ１４４と同様に、その高さは凹部１３５の壁面との間隔よりも若干高く設計され、凹部１３５の壁面との間で圧縮されて凹部１３５の壁面との間に隙間なく強固に密着しており、高い防水性を有している。
このように、防水リブ１４７は実際には凹部１３５の壁面との間で圧縮されて凹部１３５の壁面との間に隙間なく強固に密着しているが、図面上では簡略化して、圧縮されていない形状で図示している。
【００５６】
以上の構成によって、本実施形態では、防水パッキン１４０のスピーカホルダ１３０側に、防水部材１５０による防水構造に合わせて、防水リブ１４７による防水構造が形成されており、これらによる２重の防水構造が形成されている。したがって、通常使用において、第１実施形態よりも、より高い防水性が得られている。
防水リブ１４７は、防水リブ１４４とはリブの突出方向が異なっており、防水リブ１４４の突出方向に対して垂直方向に突出している。かかる構成では、万一、スピーカホルダ１３０が外部からの衝撃により防水リブ１４４をケース１１０から剥がす方向（図２Ｂでは上方向）に動いたとしても、防水リブ１４７による防水性には影響がなく、防水リブ１４７による防水機能は維持される。
このように本実施形態では、第１実施形態の構成に合わせてさらに防水リブ１４７による防水構造が形成されているので、第１実施形態よりもより高い防水性が得られる。
【００５７】
本実施形態においても、ケース１１０には、振動板１２３の最外周端１２３Ｘより外側でかつ防水パッキン１４０の防水リブ１４４より内側の領域内に、外部からの応力に対してスピーカグリル部１１１よりも脆弱な脆弱部が設けられている。
本実施形態において、脆弱部は、ケース１１０のスピーカユニット３側の面に凹部１１３が形成された凹部形成部である。
本実施形態において、凹部１１３は、振動板１２３の最外周端１２３Ｘに沿って略環状に形成された断面視矩形状の溝部である。
凹部１１３は、完全な環状でもよいし、環状の一部が欠けた形状でもよい。図２Ａには、凹部１１３の中心について、その位置を示してある。
凹部形成部は、１個の略環状の凹部（溝部）１１３ではなく、全体的に略環状に形成された複数の凹部（溝部）でもよい。
【００５８】
本実施形態においても、スピーカグリル部１１１が外部から強い衝撃を受けた場合、スピーカグリル部１１１よりも先に、凹部１１３が形成された脆弱部が犠牲となって衝撃を吸収して破損し、この部分にクラックあるいは割れ等が生じる。図２Ｂ中、クラックあるいは割れ等が生じやすい部分に符号Ｃを付してある。
本実施形態では、凹部１１３が形成された脆弱部が犠牲となって破損することで、凹部１１３が形成された脆弱部より内側におけるケース１１０の破損が抑制されており、これによって振動板１２３の破損が抑制されている。
【００５９】
本実施形態においても、スピーカグリル部１１１が外部から非常に強い衝撃を受けて、上記脆弱部が破損するだけでは衝撃が吸収しきれない場合、破損した脆弱部が内側に押される。
本実施形態においても、凹部１１３が形成された脆弱部は、振動板１２３の最外周端１２３Ｘより外側でかつ防水パッキン１４０の防水リブ１４４より内側の領域内に設けられている。
かかる構成では、凹部１１３が形成された脆弱部に破損が生じ、さらに破損した脆弱部が内側に押されても、脆弱部の内側は振動板１２３が形成されておらず、柔軟な防水パッキン１４０があるだけである。したがって、振動板１２３が破損する恐れはなく、柔軟な防水パッキン１４０で衝撃が吸収されるので、内部への衝撃の影響は小さい。また、防水リブ１４４とケース１１０との密着部分に対しても影響は小さい。
【００６０】
本実施形態においても、防水パッキン１４０に、ケース１１０側でかつ脆弱部である凹部１１２より内側の領域にケース１１０側の主面１４３より突出した衝撃吸収リブ１４５が設けられている。
したがって、本実施形態においても、凹部１１３が形成された脆弱部に破損が生じ、さらに破損した脆弱部が内側に押されても、脆弱部から見て防水リブ１４４のない側に衝撃吸収リブ１４５を設けておくことで、これがストッパとなり、破損した脆弱部及びその近傍がそれ以上内側に入り込むことを抑制することができる。
【００６１】
以上のように本実施形態においても、外部から強い衝撃を受けた場合にも内部の防水性が確保されている。そのため、外部から強い衝撃を受けてケース１１０の脆弱部が破損したとしても、無線機２の使用を続けることができる。
【００６２】
本実施形態においても、スピーカグリル部１１１の最外周端１１１Ｘと凹部１１３の中心との離間距離は特に制限されず、無線機の場合、例えば５ｍｍ以下が好ましい。
【００６３】
以上説明したように、本実施形態によっても、スピーカ１２０とスピーカグリル部１１１を有するケース１１０との間に補強部材を追加することなく低コストに、スピーカグリル部１１１及びその近傍が外部から強い衝撃を受けた場合においても、スピーカグリル部１１１及び振動板１２３の破損が抑制されて、防水性能の低下が抑制された無線機２を提供することができる。
【００６４】
「設計変更」
本発明は上記実施形態に限らず、本発明の趣旨を逸脱しない範囲内において、設計変更可能である。
【産業上の利用可能性】
【００６５】
本発明のスピーカ搭載品は、無線機や携帯電話等の携帯型電子機器、家庭用等の各種音響機器、及びカーオーディオ等に適用可能である。
【符号の説明】
【００６６】
１、２  無線機（電子機器、スピーカ搭載品）
３  スピーカユニット
１１０  ケース
１１１  スピーカグリル部
１１１Ｈ  孔部
１１１Ｘ  スピーカグリル部の最外周端
１１２、１１３  脆弱部をなす凹部
１２０  スピーカ
１２１  磁気回路部
１２２  ボイスコイルユニット
１２３  振動板
１２３Ｘ  振動板の最外周端
１２４  スピーカフレーム
１２５  スピーカ外周部
１３０  スピーカホルダ
１３０Ｘ  スピーカホルダの最外周端
１３４  スピーカホルダのスピーカ外周部の隣接部分
１３５  凹部
１３６  押圧部
１４０  防水パッキン
１４１  開口部
１４２  切欠部
１４３  防水パッキンのケース側の主面
１４４  防水リブ
１４５  衝撃吸収リブ
１４６  スピーカホルダ嵌入部
１４７  防水リブ
１４８  防水パッキンの側面
１４９  防水リブ
１５０  防水部材
【図１Ａ】
0005316498.tif 000002
【図１Ｂ】
0005316498.tif 000003
【図２Ａ】
0005316498.tif 000004
【図２Ｂ】
0005316498.tif 000005
【図３Ａ】
0005316498.tif 000006
【図３Ｂ】
0005316498.tif 000007
【図３Ｃ】
0005316498.tif 000008
【図３Ｄ】
0005316498.tif 000009